(57)【特許請求の範囲】
【請求項１】
予め調整を済ませた複数個の基準共振器を所定の順序に並べて基準特性を満たしている基準フィルタを準備し、かつ、前記基準フィルタを構成する基準共振器の個数と同数又はそれ以上の個数の調整共振器を準備する第１の工程と、
前記基準フィルタを構成する基準共振器の１個を、前記調整共振器の１個と置き換える第２の工程と、
置き換えられた調整共振器を含んだ基準フィルタが当初の基準特性を満たすように、置き換えられた調整共振器に調整を加える第３の工程と、
置き換えられた調整共振器に調整を加えた後、調整を加えた調整共振器を第２の工程で置き換えた基準共振器と再び置き換え直す第４の工程と、
前記基準フィルタを構成する全ての基準共振器に関して、第２、第３、第４の工程を繰り返す第５の工程と、
第５の工程までを経て形成された基準共振器と同数個の調整共振器を、基準フィルタを構成する基準共振器と同様の順序に並べて新しいフィルタを作る第６の工程と、
を有することを特徴とするフィルタの製造方法。
【請求項２】
予め調整を済ませた複数個の基準共振器を所定の順序に並べて基準特性を満たしている基準フィルタを準備し、かつ、前記基準フィルタを構成する基準共振器の個数と同数又はそれ以上の個数の調整共振器を準備する第１の工程と、
前記基準フィルタを構成する基準共振器の複数個を、同数の前記調整共振器と置き換える第２の工程と、
置き換えられた調整共振器を含んだ基準フィルタが当初の基準特性を満たすように、置き換えられた調整共振器に調整を加える第３の工程と、
置き換えられた調整共振器に調整を加えた後、調整を加えた調整共振器を第２の工程で置き換えた基準共振器と再び置き換え直す第４の工程と、
前記基準フィルタを構成する全ての基準共振器に関して、第２、第３、第４の工程を繰り返す第５の工程と、
第５の工程までを経て形成された基準共振器と同数個の調整共振器を、基準フィルタを構成する基準共振器と同様の順序に並べて新しいフィルタを作る第６の工程と、
を有することを特徴とするフィルタの製造方法。
【請求項３】
予め調整を済ませた複数個の基準共振器を所定の順序に並べて基準特性を満たしている基準フィルタを準備し、かつ、前記基準フィルタを構成する基準共振器の個数と同数又はそれ以上の個数の調整共振器を準備する第１の工程と、
前記基準フィルタを構成する基準共振器の１個を、前記調整共振器の１個と置き換える第２の工程と、
置き換えられた調整共振器を含んだ基準フィルタが当初の基準特性を満たすように、置き換えられた調整共振器に調整を加える第３の工程と、
前記基準フィルタを構成する全ての基準共振器に関して、第２、第３の工程を繰り返す第４の工程と、
基準フィルタを構成していた当初の基準共振器と、前記基準共振器と同等の特性を満たすように調整された調整共振器を組み合わせて所定の順序に並べることによって、基準特性を満たす２組のフィルタを作る第５の工程と、
を有することを特徴とするフィルタの製造方法。
【請求項４】
予め調整を済ませた複数個の基準共振器を所定の順序に並べて基準特性を満たしている基準フィルタを準備し、かつ、前記基準フィルタを構成する基準共振器の個数と同数又はそれ以上の個数の調整共振器を準備する第１の工程と、
前記基準フィルタを構成する基準共振器の複数個を、同数の前記調整共振器と置き換える第２の工程と、
置き換えられた調整共振器を含んだ基準フィルタが当初の基準特性を満たすように、置き換えられた調整共振器に調整を加える第３の工程と、
前記基準フィルタを構成する全ての基準共振器に関して、第２、第３の工程を繰り返す第４の工程と、
基準フィルタを構成していた当初の基準共振器と、前記基準共振器と同等の特性を満たすように調整された調整共振器を組み合わせて所定の順序に並べることによって、基準特性を満たす２組のフィルタを作る第５の工程と、
を有することを特徴とするフィルタの製造方法。
【請求項５】
前記基準共振器および前記調整共振器が誘電体共振器からなることを特徴とする請求項１乃至請求項４記載のフィルタの製造方法。
【発明の詳細な説明】
【０００１】
【発明の属する技術分野】
本発明は、複数個の共振器を用いたフィルタ、例えばＴＭモード共振器を用いたハイパワー系の誘電体フィルタ、または誘電体デュプレクスフィルタなどに関するものである。
【０００２】
【従来の技術】
従来より、複数個の共振器、特にＴＭモード誘電体共振器を複数個用いてフィルタを構成する場合、フィルタ特性の調整は以下のような方法で行われている。
【０００３】
すなわち、まずフィルタを構成する各共振器ごとに、所定の定数に基づいて調整を行う。ここで言う所定の定数とは、その定数に基づいて各共振器を調整すれば最終的に共振器をフィルタとして組み合わせた際にフィルタとしての所望の特性を得られるであろう、と見込まれる数値のことである。この定数はフィルタを構成する各共振器ごとにあらかじめ定められている。この定数に基づいて、フィルタを構成するすべての共振器について一つずつ調整が加えられる。
【０００４】
次に、各共振器ごとの調整の終了後、各共振器を組み合わせて一個のフィルタを構成し、フィルタとして構成された段階で改めて特性の調整を行う。これは、最初に行う共振器ごとの調整において、個々の共振器ごとの有する形状誤差や測定治具の測定誤差といった誤差が生じるため、最初の調整を済ませた各共振器をフィルタとして組み合わせても、当初所望した特性からずれたフィルタ特性となるからである。このため、フィルタとして構成した段階で改めて特性の調整を行う必要が生じる。
【０００５】
【発明が解決しようとする課題】
しかしながら、上記従来例のフィルタの製造方法には、次のような問題があった。
【０００６】
すなわち、従来例では、フィルタを構成する各共振器ごとの調整と、最初の調整を済ませた各共振器を組み合わせてフィルタを構成した段階での調整の２段階の特性調整が必要とされ、特性調整のために多くの時間と労力を費やしていた。
【０００７】
また、フィルタを構成した段階での特性調整では、フィルタを構成する共振器の個数に比例して調整対象となるパラメータが増加するため、所望する特性を満足するパラメータの特定が非常に困難となり、特性調整に多くの時間と労力を費やしていた。
【０００８】
したがって、本発明の目的は、上述の問題を解消するためになされたもので、短い時間と少ない労力で所望するフィルタ特性を得られるフィルタの製造方法を提供することにある。
【０００９】
【課題を解決するための手段】
上記目的を達成するために、本発明に係る請求項１記載のフィルタの製造方法は、予め調整を済ませた複数個の基準共振器を所定の順序に並べて基準特性を満たしている基準フィルタを準備し、かつ、前記基準フィルタを構成する基準共振器の個数と同数又はそれ以上の個数の調整共振器を準備する第１の工程と、
前記基準フィルタを構成する基準共振器の１個を、前記調整共振器の１個と置き換える第２の工程と、
置き換えられた調整共振器を含んだ基準フィルタが当初の基準特性を満たすように、置き換えられた調整共振器に調整を加える第３の工程と、
置き換えられた調整共振器に調整を加えた後、調整を加えた調整共振器を第２の工程で置き換えた基準共振器と再び置き換え直す第４の工程と、
前記基準フィルタを構成する全ての基準共振器に関して、第２、第３、第４の工程を繰り返す第５の工程と、
第５の工程までを経て形成された基準共振器と同数個の調整共振器を、基準フィルタを構成する基準共振器と同様の順序に並べて新しいフィルタを作る第６の工程と、を有する。
【００１０】
また、本発明に係る請求項２記載のフィルタの製造方法は、予め調整を済ませた複数個の基準共振器を所定の順序に並べて基準特性を満たしている基準フィルタを準備し、かつ、前記基準フィルタを構成する基準共振器の個数と同数又はそれ以上の個数の調整共振器を準備する第１の工程と、
前記基準フィルタを構成する基準共振器の複数個を、同数の前記調整共振器と置き換える第２の工程と、
置き換えられた調整共振器を含んだ基準フィルタが当初の基準特性を満たすように、置き換えられた調整共振器に調整を加える第３の工程と、
置き換えられた調整共振器に調整を加えた後、調整を加えた調整共振器を第２の工程で置き換えた基準共振器と再び置き換え直す第４の工程と、
前記基準フィルタを構成する全ての基準共振器に関して、第２、第３、第４の工程を繰り返す第５の工程と、
第５の工程までを経て形成された基準共振器と同数個の調整共振器を、基準フィルタを構成する基準共振器と同様の順序に並べて新しいフィルタを作る第６の工程と、を有する。
【００１１】
また、本発明に係る請求項３記載のフィルタの製造方法は、予め調整を済ませた複数個の基準共振器を所定の順序に並べて基準特性を満たしている基準フィルタを準備し、かつ、前記基準フィルタを構成する基準共振器の個数と同数又はそれ以上の個数の調整共振器を準備する第１の工程と、
前記基準フィルタを構成する基準共振器の１個を、前記調整共振器の１個と置き換える第２の工程と、
置き換えられた調整共振器を含んだ基準フィルタが当初の基準特性を満たすように、置き換えられた調整共振器に調整を加える第３の工程と、
前記基準フィルタを構成する全ての基準共振器に関して、第２、第３の工程を繰り返す第４の工程と、
基準フィルタを構成していた当初の基準共振器と、前記基準共振器と同等の特性を満たすように調整された調整共振器を組み合わせて所定の順序に並べることによって、基準特性を満たす２組のフィルタを作る第５の工程と、を有する。
【００１２】
また、本発明に係る請求項４記載のフィルタの製造方法は、予め調整を済ませた複数個の基準共振器を所定の順序に並べて基準特性を満たしている基準フィルタを準備し、かつ、前記基準フィルタを構成する基準共振器の個数と同数又はそれ以上の個数の調整共振器を準備する第１の工程と、
前記基準フィルタを構成する基準共振器の複数個を、同数の前記調整共振器と置き換える第２の工程と、
置き換えられた調整共振器を含んだ基準フィルタが当初の基準特性を満たすように、置き換えられた調整共振器に調整を加える第３の工程と、
前記基準フィルタを構成する全ての基準共振器に関して、第２、第３の工程を繰り返す第４の工程と、
基準フィルタを構成していた当初の基準共振器と、前記基準共振器と同等の特性を満たすように調整された調整共振器を組み合わせて所定の順序に並べることによって、基準特性を満たす２組のフィルタを作る第５の工程と、を有する。
【００１３】
また、本発明に係る請求項５記載のフィルタの製造方法は、請求項１乃至請求項４記載のフィルタにおいて、前記基準共振器および前記調整共振器が誘電体共振器からなる。
【００１４】
これにより、個々の共振器ごとの調整過程を省き、共振器をフィルタに組み合わせた状態から調整を始めるのことができるので、従来２段階の調整を要していたものを１段階の調整で済ませることが可能となる。
【００１５】
また、あらかじめ調整済みの基準フィルタを準備したうえで、調整済みの基準共振器とこれから調整を加えようとする調整用共振器を１個または数個ずつ入れ替えて調整してゆくので、調整するべきパラメータが減り、所望の特性を満足するパラメータを特定しやすくなり、調整作業が容易になる。調整するべきパラメータは、１度に入れ替える共振器の個数が１個の時にもっとも少なく、入れ替える共振器の数を増やすほど増加することになる。
【００１６】
【発明の実施の形態】
以下、本発明に係るフィルタの製造方法の実施例について、添付図面を参照して説明する。
【００１７】
［第１実施例、図１〜図４］
第１実施例のフィルタの製造方法では、まず、図１に示すような、複数個の誘電体共振器で構成された誘電体フィルタ（以下、基準フィルタと呼ぶ）１を準備する。なお、図１に示した基準フィルタ１は２ａから２ｈまでの８個の誘電体共振器（以下、基準共振器と呼ぶ）から構成されている。ここで準備する基準フィルタ１は、所望するフィルタ特性（以下、基準特性と呼ぶ）を満足するようにあらかじめ調整を完了したものとする。また、基準フィルタ１を準備するとともに、基準フィルタ１を構成する基準共振器と同数個あるいはそれ以上の個数の調整共振器を準備する。ここで準備する調整共振器は、これから調整を加えようとする未調整の共振器である。
【００１８】
次に、基準フィルタ１を構成する基準共振器の１つ、例えば共振器２ａを基準フィルタ１から取り外し、取り外した箇所に調整共振器３ａを新たに組み入れる（図２参照）。基準共振器２ａと調整共振器３ａの組み替えにより基準フィルタ１の特性は基準特性から変化するが、ここで調整共振器３ａを調整することによって、基準特性を再現する。この時の調整作業においては、１個の調整共振器３ａのみをその調整対象とすればよいため、調整作業に要する時間を大幅に削減することができる。
【００１９】
さらに、基準特性が得られるように調整共振器３ａの調整を完了させたのち、調整共振器３ａを基準フィルタ１から取り外し、先に取り外した基準共振器２ａを再び基準フィルタ１に組み入れ直す（図３参照）。このような工程を経て得られた調整共振器３ａは、基準共振器２ａと同等の特性を持つことになる。
【００２０】
以上のような基準共振器と調整共振器を入れ替える工程、調整共振器を調整する工程、および基準共振器と調整共振器を再び入れ替え直す工程を、基準フィルタ１を構成する２ａから２ｈまでの全ての基準共振器に関して繰り返す（図４参照）。
【００２１】
このような工程を経て形成された３ａから３ｈまでの調整共振器の組は、最初に準備した基準フィルタ１を構成する基準共振器の組と同等の特性を有することになる。従って、これら３ａから３ｈの共振器を所定の順序に従って組み合わせてフィルタを構成することにより、ほかに何らの調整を加えることなく、最初に準備した基準フィルタ１と同等の特性を持った誘電体フィルタを構成することができる。
【００２２】
なお、本実施例においては共振器を１つずつ入れ替えることとしているが、１度に数個ずつ共振器を入れ替えることも可能である。こうすることにより、共振器を入れ替える回数及び調整を加える回数を減らすことができる。ただしこの場合、１度の調整に当たっての調整共振器の数が増えることになるので、それに応じて調整パラメータが増加し、調整に多くの時間を要することになる。
【００２３】
また、本実施例においては、基準特性が得られるように調整共振器（例えば共振器３ａ）に調整を加えた後、再び元の基準共振器（例えば共振器２ａ）と入れ替え直す工程を有しているが、この工程を省くことも可能である。すなわち、調整を完了した調整共振器（例えば３ａ）を元の基準共振器（例えば２ａ）と入れ替えず、そのまま基準フィルタ１に組み込んで残すことも可能である。これは、基準共振器（例えば２ａ）と調整を完了した調整共振器（例えば３ａ）とは同等の特性を有しているため、両者に互換性があると評価することができるからである。ただ、この方法で共振器の複製を繰り返した場合、複製に際して起こりうる微細な誤差も繰り返されることになる。このため、１度の複製においては無視することのできた微細な誤差も、複製の回数を重ねるにつれて誤差が大きくなり、最初に準備した基準フィルタ１の基準特性から大きく離れた特性のフィルタが複製されるおそれがある。
【００２４】
なお、本実施例においては誘電体共振器を用いたフィルタを例に挙げたが、本発明に係るフィルタの製造方法は、例えば導波管フィルタなど、誘電体共振器以外の部品で構成されるフィルタにも同様に適用することが可能である。
【００２５】
【発明の効果】
以上のように、本発明によるフィルタの製造方法では、個々の共振器ごとの調整段階を省き、共振器をフィルタに組み合わせた段階から調整を始めることができるので、従来２段階の調整を要していたものを１段階の調整で済ませることが可能となる。これにより、調整に要する時間を大幅に短縮することができる。
【００２６】
また、あらかじめ調整済みのフィルタを準備したうえで、調整済みの基準共振器と未調整の調整共振器を１個または数個ずつ入れ替えて調整してゆくので、調整するべきパラメータが減り、所望の特性を満足するパラメータを特定しやすくなり、調整作業が容易になる。
【００２７】
さらに、１度の調整に際しての調整箇所が限られているので、機械を用いた自動調整が簡単に行える。
【図面の簡単な説明】
【図１】本発明に係る誘電体共振器の特性調整方法の第１実施例を示す斜視図である。
【図２】本発明に係る誘電体共振器の特性調整方法の第１実施例を示す斜視図である。
【図３】本発明に係る誘電体共振器の特性調整方法の第１実施例を示す斜視図である。
【図４】本発明に係る誘電体共振器の特性調整方法の第１実施例を示す斜視図である。
【符号の説明】
１    あらかじめ調整を完了させた誘電体フィルタ（基準フィルタ）
２ａ、２ｂ、２ｃ、２ｄ、２ｅ、２ｆ、２ｇ、２ｈ      前記誘電体フィルタ１を構成する誘電体共振器
３ａ、３ｂ、３ｃ、３ｄ、３ｅ、３ｆ、３ｇ、３ｈ      誘電体共振器
４    共振器固定用の金属パネル
【図１】
0003598679.tif 000002
【図２】
0003598679.tif 000003
【図３】
0003598679.tif 000004
【図４】
0003598679.tif 000005